(57)【要約】【課題】入力画像信号からフォーマットを推定するプロジェクタによるマルチプロジェクションにおいて、統合画像の表示品質の低下を抑制する。【解決手段】表示装置は、画像信号の複数のフォーマットのパラメータの規定値の情報を記憶する記憶手段と、入力画像信号のパラメータを測定する測定手段と、測定手段による測定値と、記憶手段に記憶されている複数のフォーマットのうち入力画像信号の候補フォーマットのパラメータの規定値とに基づいて、入力画像信号のフォーマットと候補フォーマットとの類似度を計算する計算手段と、他の表示装置の入力画像信号の候補フォーマット及びその類似度の情報を取得する取得手段と、自機の入力画像信号の候補フォーマットと他の表示装置の入力画像信号の候補フォーマットのうちから類似度に基づいて、自機の入力画像信号のフォーマットを決定する決定手段とを有する。【選択図】図１
2016191897.tif 000002
【特許請求の範囲】
【請求項１】
自機の表示画像と他の表示装置による表示画像とを組み合わせて１つの画像を表示するマルチ画面表示を行う表示装置であって、
画像信号の複数のフォーマットのパラメータの規定値の情報を記憶する記憶手段と、
入力画像信号のパラメータを測定する測定手段と、
前記測定手段による測定値と、前記記憶手段に記憶されている複数のフォーマットのうち前記入力画像信号の候補フォーマットのパラメータの規定値とに基づいて、前記入力画像信号のフォーマットと前記候補フォーマットとの類似度を計算する計算手段と、
前記他の表示装置の入力画像信号の候補フォーマット及びその類似度の情報を取得する取得手段と、
自機の入力画像信号の候補フォーマットと前記他の表示装置の入力画像信号の候補フォーマットのうちから前記類似度に基づいて、自機の入力画像信号のフォーマットを決定する決定手段と
を有する表示装置。
【請求項２】
前記決定手段は、自機の入力画像信号の候補フォーマットと前記他の表示装置の入力画像信号の候補フォーマットのうち類似度の最も高いものを自機の入力画像信号のフォーマットとして決定する請求項１に記載の表示装置。
【請求項３】
前記決定手段により決定したフォーマットに基づき入力画像信号に対して画像処理を行う画像処理手段を有する請求項１又は２に記載の表示装置。
【請求項４】
前記決定手段により決定したフォーマットの情報を前記他の表示装置へ送信する送信手段を有する請求項１〜３のいずれか１項に記載の表示装置。
【請求項５】
自機が前記マルチ画面表示におけるマスター装置であるかスレーブ装置であるかを判定し、自機がマスター装置である場合に、前記送信手段はスレーブ装置へ前記決定したフォーマットの情報を送信する請求項４に記載の表示装置。
【請求項６】
自機が前記マルチ画面表示におけるマスター装置であるかスレーブ装置であるかを判定し、自機がスレーブ装置である場合に、前記取得手段はマスター装置が決定したフォーマットの情報を取得し、前記決定手段は前記マスター装置が決定したフォーマットを入力画像信号のフォーマットとする請求項１〜５のいずれか１項に記載の表示装置。
【請求項７】
前記測定手段は、入力画像信号のパラメータとして垂直総ライン数を測定し、
前記計算手段は、前記記憶手段に記憶されている複数のフォーマットのうち、垂直総ライン数の規定値が前記測定手段による入力画像信号の垂直総ライン数の測定値に対し閾値以内であるフォーマットを候補フォーマットとする請求項１〜６のいずれか１項に記載の表示装置。
【請求項８】
前記測定手段は、入力画像信号のパラメータとして水平開始位置、水平終了位置、垂直開始位置、及び垂直終了位置を測定し、
前記計算手段は、前記候補フォーマットの各々について、水平開始位置の規定値と前記測定手段による水平開始位置の測定値との差分絶対値、水平終了位置の規定値と前記測定手段による水平終了位置の測定値との差分絶対値、垂直開始位置の規定値と前記測定手段による垂直開始位置の測定値との差分絶対値、及び、垂直終了位置の規定値と前記測定手段による垂直終了位置の測定値との差分絶対値の総和を計算し、前記差分絶対値の総和が小さい候補フォーマットほど類似度を高い値とする請求項１〜７のいずれか１項に記載の表示装置。
【請求項９】
自機の表示画像と他の表示装置による表示画像とを組み合わせて１つの画像を表示するマルチ画面表示を行う表示装置の制御方法であって、
画像信号の複数のフォーマットのパラメータの規定値の情報を記憶手段から取得するステップと、
入力画像信号のパラメータを測定するステップと、
前記測定するステップによる測定値と、前記記憶手段に記憶されている複数のフォーマットのうち前記入力画像信号の候補フォーマットのパラメータの規定値とに基づいて、前記入力画像信号のフォーマットと前記候補フォーマットとの類似度を計算するステップと、
前記他の表示装置の入力画像信号の候補フォーマット及びその類似度の情報を取得するステップと、
自機の入力画像信号の候補フォーマットと前記他の表示装置の入力画像信号の候補フォーマットのうちから前記類似度に基づいて、自機の入力画像信号のフォーマットを決定するステップと
を有する制御方法。
【請求項１０】
コンピュータを、自機の表示画像と他の表示装置による表示画像とを組み合わせて１つの画像を表示するマルチ画面表示を行う表示装置として機能させるためのプログラムであって、
前記コンピュータを、
画像信号の複数のフォーマットのパラメータの規定値の情報を記憶する記憶手段と、
入力画像信号のパラメータを測定する測定手段と、
前記測定手段による測定値と、前記記憶手段に記憶されている複数のフォーマットのうち前記入力画像信号の候補フォーマットのパラメータの規定値とに基づいて、前記入力画像信号のフォーマットと前記候補フォーマットとの類似度を計算する計算手段と、
前記他の表示装置の入力画像信号の候補フォーマット及びその類似度の情報を取得する取得手段と、
自機の入力画像信号の候補フォーマットと前記他の表示装置の入力画像信号の候補フォーマットのうちから前記類似度に基づいて、自機の入力画像信号のフォーマットを決定する決定手段
として機能させるためのプログラム。
【発明の詳細な説明】
【技術分野】
【０００１】
本発明は、表示装置及び制御方法に関するものである。
【背景技術】
【０００２】
複数のプロジェクタの投影画像（部分画像）をつなぎ合わせて１枚の統合画像を投影するマルチプロジェクションが知られている。マルチプロジェクションシステムを構成する各プロジェクタとしては、パネルサイズ等の条件を揃えるために同機種のプロジェクタが用いられる。プロジェクタ間で画素数やや画質に差が生じないように、各プロジェクタに入力する画像信号のフォーマットを同じにすることがある。特許文献１には、デイジーチェーン接続されたプロジェクタにおいて、前段のプロジェクタに入力されたアナログ画像信号についてフォーマットを判別し、その結果に基づいてＡ／Ｄ変換等の画像信号処理を行う方法が記載されている。
【先行技術文献】
【特許文献】
【０００３】
【特許文献１】特開２００１−８６４２８号公報
【発明の概要】
【発明が解決しようとする課題】
【０００４】
マルチプロジェクションシステムでは、分配機などを用いて各プロジェクタへ独立に画像信号が入力される場合がある。画像信号のフォーマットの判別は各プロジェクタで独立に行われる。マルチプロジェクションシステムでは、各プロジェクタに入力される画像信号は部分画像の画像信号であるため、画像の内容が大きく異なる場合がある。その場合、画像信号に基づくフォーマットの判別結果が、プロジェクタごとに異なってしまう可能性がある。そうすると各プロジェクタが異なる設定でＡ／Ｄ変換等の画像処理を行うことになるため、統合画像の表示品質が低下する可能性がある。
そこで、本発明は、入力画像信号からフォーマットを推定するプロジェクタによるマルチプロジェクションにおいて、統合画像の表示品質の低下を抑制することを目的とする。
【課題を解決するための手段】
【０００５】
本発明に係る表示装置は、自機の表示画像と他の表示装置による表示画像とを組み合わせて１つの画像を表示するマルチ画面表示を行う表示装置であって、
画像信号の複数のフォーマットのパラメータの規定値の情報を記憶する記憶手段と、
入力画像信号のパラメータを測定する測定手段と、
前記測定手段による測定値と、前記記憶手段に記憶されている複数のフォーマットのうち前記入力画像信号の候補フォーマットのパラメータの規定値とに基づいて、前記入力画像信号のフォーマットと前記候補フォーマットとの類似度を計算する計算手段と、
前記他の表示装置の入力画像信号の候補フォーマット及びその類似度の情報を取得する取得手段と、
自機の入力画像信号の候補フォーマットと前記他の表示装置の入力画像信号の候補フォーマットのうちから前記類似度に基づいて、自機の入力画像信号のフォーマットを決定する決定手段と、
を有する表示装置である。
【０００６】
本発明に係る制御方法は、自機の表示画像と他の表示装置による表示画像とを組み合わせて１つの画像を表示するマルチ画面表示を行う表示装置の制御方法であって、
画像信号の複数のフォーマットのパラメータの規定値の情報を記憶手段から取得するス
テップと、
入力画像信号のパラメータを測定するステップと、
前記測定するステップによる測定値と、前記記憶手段に記憶されている複数のフォーマットのうち前記入力画像信号の候補フォーマットのパラメータの規定値とに基づいて、前記入力画像信号のフォーマットと前記候補フォーマットとの類似度を計算するステップと、
前記他の表示装置の入力画像信号の候補フォーマット及びその類似度の情報を取得するステップと、
自機の入力画像信号の候補フォーマットと前記他の表示装置の入力画像信号の候補フォーマットのうちから前記類似度に基づいて、自機の入力画像信号のフォーマットを決定するステップと
を有する制御方法である。
本発明に係るプログラムは、コンピュータを、自機の表示画像と他の表示装置による表示画像とを組み合わせて１つの画像を表示するマルチ画面表示を行う表示装置として機能させるためのプログラムであって、
前記コンピュータを、
画像信号の複数のフォーマットのパラメータの規定値の情報を記憶する記憶手段と、
入力画像信号のパラメータを測定する測定手段と、
前記測定手段による測定値と、前記記憶手段に記憶されている複数のフォーマットのうち前記入力画像信号の候補フォーマットのパラメータの規定値とに基づいて、前記入力画像信号のフォーマットと前記候補フォーマットとの類似度を計算する計算手段と、
前記他の表示装置の入力画像信号の候補フォーマット及びその類似度の情報を取得する取得手段と、
自機の入力画像信号の候補フォーマットと前記他の表示装置の入力画像信号の候補フォーマットのうちから前記類似度に基づいて、自機の入力画像信号のフォーマットを決定する決定手段
として機能させるためのプログラムである。
【発明の効果】
【０００７】
本発明によれば、入力画像信号からフォーマットを推定するプロジェクタによるマルチプロジェクションにおいて、統合画像の表示品質の低下を抑制することができる。
【図面の簡単な説明】
【０００８】
【図１】実施形態１及び２における表示装置１００が有する構成要素を説明するための図である。
【図２】マルチプロジェクションの外観の一例を説明するための図である。
【図３】実施形態１における表示装置１００の制御シーケンスの一例を説明するための図である。
【図４】表示装置１００内部に保持しているフォーマットの規定値のデータの一例を説明するための図である。
【図５】入力画像信号のパラメータの測定方法の一例を説明するための概念図である。
【図６】表示装置１００（マスタープロジェクタ）の入力信号の測定ＤＥ位置とＴＢＬ_ＤＥ位置との差分の一例を説明するための図である。
【図７】マルチプロジェクションの外観の一例を説明するための図である。
【図８】表示装置２００〜４００（スレーブプロジェクタ）の入力信号の測定ＤＥ位置とＴＢＬ_ＤＥ位置との差分の一例を説明するための図である。
【図９】実施形態２における表示装置１００の制御シーケンスの一例を説明するための図である。
【図１０】隣接画素差分値の最大値、最小値、及び比の一例を説明するための図である。
【発明を実施するための形態】
【０００９】
以下、図面を参照して本発明の実施形態を説明する。ただし、本発明の実施形態は以下の実施形態に限定するものではない。
［実施形態１］
実施形態１及び２では、実施形態１及び２における表示装置が、例えば、プロジェクタとして動作する場合を説明する。ただし、実施形態１及び２における表示装置は、プロジェクタに限らず、液晶ディスプレイ、有機ＥＬディスプレイ、ＣＲＴ（Cathode Ray Tube）、ＭＥＭＳ（Micro Electro Mechanical Systems）ディスプレイ等の表示装置として動作するように構成することもできる。従って、実施形態１及び２における表示装置は、プロジェクタに限定されるものではない。
【００１０】
図１は、実施形態１及び２における表示装置１００が有する構成要素を説明するための図である。なお、表示装置１００が有する構成要素の少なくとも一つは、ハードウェア構成を有する。
制御部１０１は、プロセッサを有し、表示装置１００の各構成要素を制御することができる。制御部１０１は、各構成要素とバス接続されており、各構成要素へ指示を送信したり、データの送受信をしたりする。
操作部１０２は、ユーザからの操作を受け付ける。
電源部１０３は、表示装置１００の各構成要素への電力供給を制御する。
液晶部１０４は、画像信号に基づく画像を形成する液晶パネルである。液晶部１０４の構成は、１枚の液晶パネルからなる構成、３枚の液晶パネルからなる構成のいずれであってもよい。
液晶駆動部１０５は、入力された画像信号に基づいて、液晶部１０４の液晶パネルに画像を形成させる。液晶駆動部１０５には、画像処理部１１７から画像信号が入力される。
光源１０６は、液晶部１０４に光を供給する。
投影光学系１０７は、光源１０６から発せられ液晶部１０４を透過した光をスクリーンに投影する。
光源制御部１０８は、光源１０６の光量等を制御する。
光学系制御部１０９は、投影光学系１０７のズームレンズやフォーカスレンズ等の動作を制御し、ズーム倍率や焦点調整等を行う。
アナログ入力部１１０は、ＰＣ、ＤＶＤプレイヤー、テレビチューナー等からのアナログ画像信号の入力を受け付ける。アナログ入力部１１０は、ＲＧＢ端子やＳ端子からなる。
【００１１】
Ａ／Ｄ変換部１１１は、アナログ入力部１１０に入力されたアナログ画像信号をデジタル画像信号に変換する。Ａ／Ｄ変換部１１１は、受信したアナログ画像信号のパラメータを測定する。Ａ／Ｄ変換部１１１が測定するアナログ画像信号のパラメータとしては、水平開始位置、水平終了位置、垂直開始位置、垂直終了位置、水平同期信号極性、及び垂直同期信号極性等がある。Ａ／Ｄ変換部１１１は、測定結果を内部のレジスタに保持する。Ａ／Ｄ変換部１１１は、制御部１０１により設定される設定に基づきＡ／Ｄ変換を行う。Ａ／Ｄ変換方式については、アナログ入力電圧を一定時間積分する二重積分型、コンパレータを使用する並列比較型、Ｄ／Ａ変換値と比較する逐次比較型等がある。実施形態１ではＡ／Ｄ変換方式に限定はない。
【００１２】
デジタル入力部１１２は、ＰＣやＤＶＤプレイヤー等からデジタル画像信号の入力を受け付ける。デジタル入力部１１２は、ＨＤＭＩ（登録商標）端子等からなる。ＨＤＭＩ（登録商標）端子の場合には、デジタル入力部１１２は、デジタル画像信号とともに制御信号の入力も受け付けることができる。この場合、制御部１０１はデジタル入力部１１２か
ら入力される制御信号に基づき画像の制御等を行うことができる。デジタル入力部１１２により入力された画像信号は直接、画像処理部１１７に送信される。
【００１３】
ＵＳＢインターフェース１１３は、フラッシュメモリ等の外部記憶媒体が接続され、外部機器から画像データやドキュメントデータ等を読み込み、又はこれらを外部記憶媒体に書き出す。ＵＳＢインターフェース１１３には、ポインティングデバイスやキーボード等を接続することもできる。
カードインタフェース１１４は、ＳＤカードやコンパクトフラッシュ（登録商標）等のカード型の記録媒体を挿入可能であり、記録媒体に対し画像データやドキュメントデータ等を読み書きする。
通信部１１５は、イントラネットやインターネットに接続され、画像データやドキュメントデータや制御命令等を送受信する。通信部１１５は、例えば、有線ＬＡＮや無線ＬＡＮ等で構成されている。
内部メモリ１１６は、半導体メモリやハードディスク等で構成され、画像データやドキュメントデータ等を保存する。
ファイル再生部１３２は、カードインタフェース１１４等から入力された画像データやドキュメントデータ画像信号を生成して画像処理部１１７に出力する。これにより画像データやドキュメントデータに基づく表示が行われる。
【００１４】
画像処理部１１７は、画像信号に対し補正や解析を行う。画像処理部１１７が補正や解析を行う画像信号は、各種インターフェースから入力されるデータに基づく画像信号、ファイル再生部１３２により得られる画像信号、制御部１０１により得られる画像信号等である。
画像処理部１１７が行う補正には、例えば、入力される画像信号を液晶部１０４で表示するのに適した画像信号にする補正がある。このような補正には、例えば、画像信号の画素数を液晶パネルの画素数にあわせて変換する補正や、画像信号のフレーム数を倍にする補正がある。フレーム数を倍にする補正は、例えば、液晶パネルを交流駆動する場合に行われる。液晶パネルの交流駆動とは、液晶パネルの液晶にかける電圧の方向を正方向と逆方向とで交互に入れ替えて画像を表示させる方法である。この駆動方法は、液晶にかける電圧の方向が正方向でも逆方向でも液晶パネルは画像を生成できるという性質を利用したものである。液晶パネルの交流駆動を行う場合、画像処理部１１７は、液晶駆動部１０５に、正方向用の画像と逆方向用の画像を１枚ずつ送る必要がある。そのため、画像処理部１１７は、画像信号のフレーム数を倍にする処理を行う。
【００１５】
画像処理部１１７は、Ａ／Ｄ変換部１１１によるＡ／Ｄ変換で得られたデジタル画像信号に対し各種解析や測定を行う。アナログ入力部１１０へ入力されるアナログ画像信号には、表示開始位置を示すＤＥ（ＤａｔａＥｎａｂｌｅ）信号が存在しない場合がある。画像処理部１１７は、水平同期信号、垂直同期信号、及びデジタル画像信号に基づき、表示開始位置を測定する。制御部１０１は、画像処理部１１７による解析結果に基づいて、画像信号処理やＡ／Ｄ変換部１１１へのＡ／Ｄ変換に関わる制御等を、バスを介して行う。
【００１６】
画像処理部１１７が行う補正には、キーストーン補正もある。キーストーン補正は、投影光学系１０７がスクリーンに正対していないために投影画像が台形状等に歪んでしまう場合に、投影画像の歪みを打ち消すように、画像の形状を変形させる補正である。画像処理部１１７は、液晶パネルに表示される画像を水平方向及び／又は垂直方向に拡大又は縮小することでキーストーン補正を行う。キーストーン補正によれば、投影画像に生じる歪みと液晶パネルに形成される画像の歪みが相殺される。これにより元の画像信号に基づく画像のアスペクト比に近い画像がスクリーンに投影される。画像処理部１１７は、後述する傾きセンサ１１８により得られた傾き角に基づいて自動的にキーストーン補正を行う。或いは、画像処理部１１７は、ユーザが操作部１０２を操作して入力した設定値に基づき
キーストーン補正を行う。
【００１７】
傾きセンサ１１８は、表示装置１００の傾きを検出する。
タイマ１１９は、表示装置１００の動作時間や各構成要素の動作時間等を検出する。
温度計１２０は、表示装置１００の光源１０６の温度、液晶部１０４の温度、外気温等を計測する。
赤外線受信部１２１、１２２は、表示装置１００付属のリモコンやその他の機器からの赤外線信号を受信し、制御部１０１に受信した信号に対応する情報を送る。赤外線受信部１２１、１２２は、表示装置１００の複数の箇所に設置されている。実施形態１では、赤外線受信部１２１は表示装置１００の背面側に配置され、赤外線受信部１２２は表示装置１００の前面側に配置されている。
焦点検出部１２３は、表示装置１００とスクリーンとの距離を検出する。焦点検出部１２３の検出結果により投影光学系１０７の焦点を合わせるべき距離が検出される。
撮像部１２４は、スクリーンの方向を撮像する。
スクリーン測光部１２５は、スクリーンにより反射される光の光量や輝度を計測する。
光源測光部１２７は、光源１０６から発せられる光の光量や輝度を計測する。
表示部１３３は、表示装置１００本体に配置され、表示装置１００の状態や警告等を表示する。
表示制御部１２８は、表示部１３３の表示を制御する。
バッテリ１２９は、表示装置１００を持ち運んで使用するとき等に、表示装置１００に電力を供給する。
電源入力部１３０は、外部からの交流電力を受け入れ、所定の電圧に整流して電源部１０３に供給する。
冷却部１３１は、表示装置１００内の熱を外部に放出して、冷却する。冷却部１３１は、例えば、ヒートシンクとファンにより構成されている。
ＲＡＭ１３４は、内部メモリ１１６に格納されているプログラムの展開や画像信号のフレームメモリ等に使用される。
【００１８】
次に、表示装置１００の動作について説明する。
実施形態１の表示装置１００の制御部１０１は、操作部１０２により電源ＯＮの指示が入力されると、電源部１０３に各構成要素に電力を供給するように指示を出し、各構成要素を待機状態にする。電力が供給されると、制御部１０１は、光源制御部１０８に光源１０６からの発光を開始するように指示を出す。次に、制御部１０１は、焦点検出部１２３により得られた距離の情報から、投影光学系１０７を調整するよう光学系制御部１０９に指示を出す。光学系制御部１０９は、スクリーン上に投影光が結像するように、投影光学系１０７のズームレンズやフォーカスレンズを動作させる。このようにして、投影の準備が整う。
【００１９】
次に、例えば、デジタル入力部１１２に入力された画像信号に対し、画像処理部１１７により、液晶部１０４に適した画素数にする補正、ガンマ補正、輝度ムラ対策用の補正、キーストーン補正等が加えられる。画像処理部１１７により補正を加えられた画像信号に基づき液晶駆動部１０５が液晶部１０４を駆動することにより液晶パネルに画像が形成される。液晶部１０４の液晶パネルに形成された画像は、光源１０６から発せられた光により光学像となり、投影光学系１０７によりスクリーンに投影される。画像投影中、制御部１０１は、光源１０６等の温度を温度計１２０により検出し、例えば、光源の温度が４０度以上になったときに、冷却部１３１を動作させて冷却する。
【００２０】
操作部１０２により電源ＯＦＦの指示が入力されると、制御部１０１は、各構成要素に終了処理を行うよう指示する。終了の準備が整うと、電源部１０３は各構成要素への電力供給を停止する。冷却部１３１は、電源ＯＦＦされた後しばらく動作し、表示装置１００
を冷却する。ここでは、デジタル入力部１１２から入力された画像信号に基づく画像を投影する場合について説明したが、上記各種インターフェースから入力された画像データに基づく画像を表示する場合も同様の処理が行われる。
【００２１】
次に、実施形態１における入力画像信号のフォーマット決定処理について説明する。
実施形態１のマルチプロジェクションシステムの構成の一例について説明する。実施形態１のマルチプロジェクションシステムは、マスター装置とスレーブ装置とから構成される。マスター装置及びスレーブ装置は、自機の表示画像と他の表示装置による表示画像とを組み合わせて１つの画像を表示するマルチ画面表示を行う表示装置である。図２において、表示装置１００がマスター装置、表示装置２００〜４００がスレーブ装置であり、計４台の表示装置１００〜４００でマルチプロジェクションシステムが構成される。実施形態１では、図２に示す各表示装置１００〜４００による投影画像の一部を重畳させることにより統合画像を投影するエッジブレンド投影の設定が予め行われているものとし、詳細な説明は省略する。
【００２２】
表示装置１００〜４００同士はネットワークケーブルにより接続されている。各表示装置１００〜４００は、通信部１１５を用いて、ＴＣＰ／ＩＰプロトコルにより双方向通信を行うことができる。各表示装置１００〜４００は、自機がマスター装置であるかスレーブ装置であるかを判定することができる。各表示装置１００〜４００のマスター／スレーブ設定は、各表示装置１００〜４００が統合画像のどの位置の部分画像を担当するか等の設定を行うタイミングで各表示装置１００〜４００に設定されている。
【００２３】
次に、フローチャートに基づき各表示装置１００〜４００へアナログ画像信号が入力されたときのフォーマット決定処理について説明する。図３は、表示装置１００へアナログ画像信号が入力されたときの表示装置１００の動作を示すフローチャートである。このフローチャートの処理は、表示装置１００にアナログ画像信号が入力されたことが検出されると、開始される。
【００２４】
ステップＳ１０１において、制御部１０１は、Ａ／Ｄ変換部１１１から、入力画像信号の垂直総ライン数の測定値（ＭＥＡＳ＿ｖＴｏｔａｌ）を取得し、ＲＡＭ１３４へ書き込む。制御部１０１は、Ａ／Ｄ変換部１１１が内部レジスタに保持している値を読み出すことにより入力画像信号の垂直総ライン数の測定値（ＭＥＡＳ＿ｖＴｏｔａｌ）を取得する。Ａ／Ｄ変換部１１１は、定期的に入力画像信号のパラメータの測定を行い、測定値を内部レジスタに格納する。これによりＡ／Ｄ変換部１１１の内部レジスタに保持されている測定値が所定の間隔で更新される。
【００２５】
図４は、表示装置１００が画像信号の複数のフォーマットのパラメータの規定値の情報を示すフォーマットテーブル２００である。このフォーマットテーブルは、予め表示装置１００に備わる記憶手段（内部メモリ１１６）に格納されている。表示装置１００の起動時に制御部１０１が内部メモリ１１６からフォーマットテーブル２００を読み出しＲＡＭ１３４へ展開する。図４では簡略化のため、表示装置１００が対応しているフォーマットのうちの一部のみを示す。フォーマットテーブル２００には図示したフォーマット以外のフォーマットのパラメータの規定値の情報が含まれていてもよい。
【００２６】
ステップＳ１０２において、制御部１０１は、フォーマットテーブル２００のフォーマットのうち、垂直総ライン数の規定値（ＴＢＬ＿ｖＴｏｔａｌ）が入力画像信号の垂直総ライン数の測定値に対し閾値以内であるフォーマットを候補フォーマットとして抽出する。入力画像信号の垂直総ライン数の測定値はステップＳ１０１で取得したものである。制御部１０１は、表示装置１００の起動時にＲＡＭ１３４へ展開されたフォーマットテーブル２００の各フォーマットの垂直総ライン数（ＴＢＬ＿ｖＴｏｔａｌ）２１１を参照し、
入力画像信号の垂直総ライン数の測定値（ＭＥＡＳ＿ｖＴｏｔａｌ）と比較する。制御部１０１は、フォーマットテーブル２００の各フォーマットの垂直総ライン数の規定値（ＴＢＬ＿ｖＴｏｔａｌ）２１１と入力画像信号の垂直総ライン数の測定値（ＭＥＡＳ＿ｖＴｏｔａｌ）との差分を計算する。制御部１０１は、差分の絶対値が閾値以下のフォーマットを候補フォーマットとして抽出する。ここでは、閾値を１Ｌｉｎｅとする。
【００２７】
例えば、表示装置１００へ入力される画像信号が、フォーマットテーブル２００のフォーマット＿ＮＡＭＥ：１２８０×１０２４＿１に示す画像信号であるとする。この場合、入力画像信号の垂直総ライン数の測定値（ＭＥＡＳ＿ｖＴｏｔａｌ）は１０６６Ｌｉｎｅである。この場合、図４のフォーマットテーブル２００を参照すると、１２８０ｘ１０２４＿１、１２８０ｘ１０２４＿２、１２８０ｘ１０２４＿３の３つのフォーマットが候補フォーマットとして抽出されることになる。
【００２８】
ステップＳ１０３において、制御部１０１は、入力画像信号の水平開始位置（ＭＥＡＳ＿ｈＳｔａｒｔ）、水平終了位置（ＭＥＡＳ＿ｈＥｎｄ）、垂直開始位置（ＭＥＡＳ＿ｖＳｔａｒｔ）、及び垂直終了位置（ＭＥＡＳ＿ｖＥｎｄ）の測定値を取得する。制御部１０１は、画像処理部１１７から、入力画像信号のこれら４つのパラメータの測定値を取得する。画像処理部１１７は、入力画像信号の水平開始位置、水平終了位置、垂直開始位置、及び垂直終了位置を測定する。
【００２９】
図５を用いて画像処理部１１７が位置を検出する方法を示す。
画像処理部１１７は、Ａ／Ｄ変換部１１１によりＡ／Ｄ変換された画像信号を測定する。画像処理部１１７は、垂直同期信号の入力と水平同期信号の入力を検出した後、サンプリングクロックと水平同期信号の入力回数の計数を開始する。画像処理部１１７は、サンプリングクロックが入力されたタイミングで画像信号の測定を開始する。画像処理部１１７は、有効領域を検知すると、サンプリングクロックの計数値を水平開始位置、水平同期信号の計数値を垂直開始位置として、それぞれ内部レジスタに保持する。画像処理部１１７は、水平方向及び垂直方向それぞれについて最初に画像信号の有効領域の検出を行ったときに内部レジスタへの測定値を保持する動作を行うものとする。その後、画像処理部１１７は、水平同期信号の入力を検知すると、サンプリングクロックの計数値をクリアし、次の垂直同期信号の入力を検知するまで水平方向について有効領域の検出を繰り返し、有効領域の開始位置及び終了位置の測定を行う。画像処理部１１７は、次の垂直同期信号を検出すると、その時点でのサンプリングクロックの計数値の最大値と水平同期信号の計数値の最大値をそれぞれ有効領域の水平方向終了位置及び垂直方向終了位置として内部レジスタに保持する。画像処理部１１７は、以上の測定動作を垂直同期信号が入力されるたびに行う。これにより画像処理部１１７は、毎フレームの画像信号の有効領域の開始位置と終了位置を検出することができる。
【００３０】
図５を用いて、画像処理部１１７が入力画像信号の水平開始位置、水平終了位置、垂直開始位置、及び垂直終了位置を測定する方法を説明する。図５は、入力画像信号のパラメータの測定方法を説明するための概念図である。図５では、１１Ｐｉｘｅｌ×１０Ｌｉｎｅの画像を例に説明する。白抜き画素は、画像処理部１１７が画像として検出する画素（有効領域）を示し、その他は基準レベル（画像として検出しない黒）の画素を示す。画像処理部１１７が画像として検出する画素とは、例えばＡ／Ｄ変換部１１１のＡ／Ｄ変換により得られた画像データが画素値（ＲＧＢ値）として０〜２５５の値を持つデータの場合、画素値が０以外の画素（黒以外の画素）である。図５の例では、１Ｌｉｎｅ（１１Ｐｉｘｅｌ）を１１回サンプリングするクロックでＡ／Ｄ変換が行われるよう、Ａ／Ｄ変換部１１１のサンプリング周波数設定が行われるものとする。
【００３１】
図５の画像データがＡ／Ｄ変換部１１１から画像処理部１１７へ入力されたとする。こ
の場合、水平方向については、第７Ｌｉｎｅ又は第８Ｌｉｎｅにおいて、サンプリングクロック計数値の最小値４及び最大値８が測定される。内部レジスタには、水平開始位置４Ｐｉｘｅｌ、水平終了位置８Ｐｉｘｅｌという値が保持される。垂直方向については、第４Ｌｉｎｅにおいて最初の画像信号の有効領域が検出され、第８Ｌｉｎｅにおいて最後の画像信号の有効領域が検出される。内部レジスタには、垂直開始位置４Ｌｉｎｅ、垂直終了位置８Ｌｉｎｅという値が保持される。
【００３２】
水平方向の有効領域開始位置及び終了位置については、Ａ／Ｄ変換部１１１のサンプリング周波数に基づき時間換算することができる。例えば、制御部１０１がＡ／Ｄ変換部１１１に設定したサンプリング周波数が１００ＭＨｚであったとする。図５の例では、水平開始位置は第４Ｐｉｘｅｌであるため、水平開始位置は水平同期信号入力から４０ｎｓ後である。また、水平終了位置についても同様に、水平同期信号入力から８０ｎｓ後であることが計算できる。以上のように、画像処理部１１７は、入力画像信号の垂直方向開始位置及び終了位置をライン数で検出し、水平方向開始位置及び終了位置を時間で検出することもできる。
【００３３】
画像処理部１１７は、入力画像信号の水平開始位置（ＭＥＡＳ＿ｈＳｔａｒｔ）、水平終了位置（ＭＥＡＳ＿ｈＥｎｄ）、垂直開始位置（ＭＥＡＳ＿ｖＳｔａｒｔ）、及び垂直終了位置（ＭＥＡＳ＿ｖＥｎｄ）を測定し、内部レジスタに測定値を保持する。ここでは、１２８０×１０２４＿１のフォーマットの画像信号が入力されている場合を例に説明をしているので、これらのパラメータの測定値は以下のようになる。
水平開始位置(MEAS_hStart)＝360
水平終了位置(MEAS_hEnd)  ＝1640
垂直開始位置(MEAS_vStart)＝41
垂直終了位置(MEAS_vEnd)  ＝1065
【００３４】
画像処理部１１７による測定では、Ａ／Ｄ変換部１１１のサンプリング周波数を決定する必要がある。ステップＳ１０２で候補フォーマットを抽出した後、制御部１０１は、候補フォーマットの情報に基づいて、Ａ／Ｄ変換部１１１へサンプリング周波数の設定を行う。実施形態１では、制御部１０１は、図４のフォーマットテーブル２００における水平総ドット数２０７（ｈＴｏｔａｌ）に基づき、Ａ／Ｄ変換部１１１にサンプリング周波数を設定する。Ａ／Ｄ変換部１１１は周波数逓倍回路を備えており、制御部１０１により設定された水平総ドット数に基づき水平同期信号周波数２０２を逓倍し、それをサンプリング周波数としてサンプリングを行う。Ａ／Ｄ変換部１１１のサンプリング周波数の設定に用いるフォーマットは、候補フォーマットとして抽出したフォーマットのうちのいずれでもよい。実施形態１では、候補フォーマットのうち図４のフォーマットテーブル２００の識別番号が最も若いフォーマット（１２８０ｘ１０２４＿１）の水平総ドット数２０７（１６８８Ｐｉｘｅｌ）をＡ／Ｄ変換部１１１に設定する。水平総ドット数が設定されると、Ａ／Ｄ変換部１１１は、それに基づき水平同期信号周波数２０２（６３．９８１ＫＨｚ）を１６８８回分周して得られる周波数をサンプリング周波数としてＡ／Ｄ変換を行う。Ａ／Ｄ変換部１１１は、Ａ／Ｄ変換して得られたデジタル信号としての画像信号や同期信号を画像処理部１１７へ出力する。１２８０ｘ１０２４＿１の水平総ドット数（１６８８Ｐｉｘｅｌ）をＡ／Ｄ変換部１１１に設定することは、１２８０ｘ１０２４＿１のサンプリング周波数２０４（１０８ＭＨｚ）をＡ／Ｄ変換部１１１のサンプリング周波数として設定することと同等である。
【００３５】
ステップＳ１０４において、制御部１０１は、候補フォーマットの水平開始位置の規定値と測定値の差分絶対値、水平終了位置の規定値と測定値の差分絶対値、垂直開始位置の
規定値と測定値の差分絶対値、及び垂直終了位置の規定値と測定値の差分絶対値を求める。制御部１０１はさらに、これらの差分絶対値の総和を計算する。候補フォーマットはステップＳ１０２で抽出されたフォーマットである。水平開始位置と水平終了位置の規定値は、Ａ／Ｄ変換部１１１に設定したサンプリング周波数とフォーマットテーブル２００の候補フォーマットのサンプリング周波数の比、候補フォーマットの水平バックポーチ、水平同期信号幅、水平有効期間に基づき計算される。垂直開始位置の規定値及び垂直終了位置の規定値は、フォーマットテーブル２００に規定されている候補フォーマットの垂直バックポーチ、垂直同期信号幅、垂直有効期間に基づいて計算される。水平開始位置、水平終了位置、垂直開始位置、及び垂直終了位置の測定値は、ステップＳ１０３で取得した入力画像信号についての測定値である。
【００３６】
図６は、水平開始位置の規定値７０１（ＴＢＬ＿ｈＳｔａｒｔ）、水平終了位置の規定値７０２（ＴＢＬ＿ｈＥｎｄ）、垂直開始位置の規定値７０３（ＴＢＬ＿ｖＳｔａｒｔ）、及び垂直終了位置の規定値７０４（ＴＢＬ＿ｖＥｎｄ）を示す。水平開始位置、水平終了位置、垂直開始位置、及び垂直終了位置の規定値は、Ａ／Ｄ変換部１１１に設定したサンプリング周波数で各フォーマットの信号をサンプリングした場合に得られる水平開始位置、水平終了位置、垂直開始位置、及び垂直終了位置である。Ａ／Ｄ変換部１１１に設定したサンプリング周波数は、ここでは１０８ＭＨｚである。
【００３７】
各フォーマットの水平開始位置の規定値７０１（ＴＢＬ＿ｈＳｔａｒｔ）と水平終了位置の規定値７０２（ＴＢＬ＿ｈＥｎｄ）は、Ａ／Ｄ変換部１１１に設定したサンプリング周波数と、各フォーマットのサンプリング周波数との比から計算することができる。各フォーマットの垂直開始位置の規定値７０３（ＴＢＬ＿ｖＳｔａｒｔ）と垂直終了位置の規定値７０４（ＴＢＬ＿ｖＥｎｄ）については、サンプリング周波数は関係がない。水平開始位置、水平終了位置、垂直開始位置、及び垂直終了位置の規定値は、下記の式で計算される。
TBL_hStart＝(hSyncWidth＋hBp)×Dclk/CLK
TBL_hEnd  ＝(hSyncWidth＋hBp＋hActive)×Dclk/CLK
TBL_vStart＝(vSyncWidth＋vBp)
TBL_vEnd  ＝(vSyncWidth＋vBp＋vActvie)
【００３８】
ここで、ＣＬＫはＡ／Ｄ変換部１１１に設定したサンプリング周波数であり、ここでは１０８ＭＨｚである。Ｄｃｌｋは各フォーマットのサンプリング周波数２０４である。ｈＳｙｎｃＷｉｄｔｈは水平同期信号幅２０９、ｈＢｐは水平バックポーチ２１０、ｈＡｃｔｉｖｅは水平有効期間２０８、ｖＳｙｎｃＷｉｄｔｈは垂直同期信号幅２１３、ｖＢｐは垂直バックポーチ２１４、ｖＡｃｔｉｖｅは垂直有効期間２１２である。フォーマット＿ＮＡＭＥ：１２８０×１０２４＿２の場合、水平開始位置の規定値３０１（ＴＢＬ＿ｈＳｔａｒｔ）は次のように計算される。
TBL_hStart＝(120＋240)×(107.250/108.000)
≒358
【００３９】
図６はさらに、これら各フォーマットの水平開始位置、水平終了位置、垂直開始位置、及び垂直終了位置の規定値と、ステップＳ１０３で取得した入力画像信号の水平開始位置、水平終了位置、垂直開始位置、及び垂直終了位置の測定値と、の差分を示す。これらは、図６において、水平開始位置差分７０５（ｈＳｔａｒｔ＿ｄｉｆｆ）、水平終了位置差分７０６（ｈＥｎｄ＿ｄｉｆｆ）、垂直開始位置差分７０７（ｖＳｔａｒｔ＿ｄｉｆｆ）
、及び垂直終了位置差分７０８（ｖＥｎｄ＿ｄｉｆｆ）で示す。これらの差分値は下記の式で計算される。
hStart_diff＝ABS(TBL_hStart−MEAS_hStart)
hEnd_diff＝ABS(TBL_hEnd  −MEAS_hEnd)
vStart_diff＝ABS(TBL_vStart−MEAS_vStart)
vEnd_diff＝ABS(TBL_vEnd  −MEAS_vEnd)
ここで、ＡＢＳは絶対値の計算を表す。入力画像信号のフォーマットは１２８０×１０２４＿１であると仮定しているため、図６において１２８０×１０２４＿１については各差分値は０となっている。
【００４０】
図６はさらに、各フォーマットの水平開始位置差分７０５、水平終了位置差分７０６、垂直開始位置差分７０７、及び垂直終了位置差分７０８の総和７０９（ｄｉｆｆ＿ｔｏｔａｌ）を示す。差分絶対値の総和は下記の式で計算される。
diff_total＝hStart_diff＋hEnd_diff＋vStart_diff＋vEnd_diff
【００４１】
この差分絶対値の総和は、各フォーマットと入力画像信号のフォーマットとの類似度の指標となる。差分絶対値の総和が小さいほど、類似度が高いと判断できる。また、ＤＥ期間に黒レベル以外の信号が多いほど、差分絶対値の総和は小さくなる。ＤＥ期間に黒レベルの信号が多いほど、差分絶対値の総和は大きくなる。従って、入力画像信号が異なれば、同じフォーマットについて上記のように差分絶対値の総和を求めても、異なる値になる場合がある。
【００４２】
図７は統合画像を表示しているマルチプロジェクションの外観を示す図である。ここでは、表示装置１００に対し、ＤＥ期間全てにデータありと判定可能な黒以外の画像信号が入力されているとする。表示装置２００〜４００には画面右半分が黒レベルの画像である画像信号が入力されているとする。画面右半分が黒レベルの画像信号が入力されている場合、画面全体が黒以外の画像信号が入力されている場合と比較して、ステップＳ１０３で得られる測定値のうち、水平終了位置の測定値が小さくなる。そのため、ステップＳ１０４で計算される各フォーマットの水平終了位置の規定値と、ステップＳ１０３で得られた入力画像信号の水平終了位置の測定値と、の差分が大きくなる。従って、差分絶対値の総和も大きくなる。
【００４３】
ステップＳ１０５において、制御部１０１は、各フォーマットとステップＳ１０４で計算した差分絶対値の総和とを関連付けてＲＡＭ１３４へ保持する。
ステップＳ１０６において、表示装置１００の制御部１０１は、他の表示装置２００〜４００からの差分絶対値の総和（ｄｉｆｆ＿ｔｏｔａｌ）の情報の受信待ち状態となる。差分絶対値の総和の情報を受信すると、ステップＳ１０７に進む。なお、制御部１０１は、自機がマルチ画面表示におけるマスター装置であるかスレーブ装置を判定することができる。自機がマスター装置であるかスレーブ装置であるかの情報は、マルチプロジェクションシステムの設定時に例えば内部メモリ１１６に書き込まれる。制御部１０１は、内部メモリ１１６の情報を参照することで、前記判定を行う。制御部１０１は、自機がマスター装置であると判定した場合、ステップＳ１０６を行う。図３には図示していないが、制御部１０１は、自機がスレーブ装置であると判定した場合、ステップＳ１０６〜ステップＳ１０９を行わずに、マスター装置が決定したフォーマットの情報を取得し、当該フォーマットを入力画像信号のフォーマットとして決定する。
【００４４】
ステップＳ１０７において、表示装置１００の制御部１０１は、差分絶対値の総和の情報をＲＡＭ１３４へ書き出す。
なお、表示装置２００〜４００に対しても画像信号が入力され、表示装置２００〜４００の制御部１０１はそれぞれステップＳ１０１〜ステップＳ１０４の処理を実行している。そして、ステップＳ１０２で抽出した候補フォーマットの各々について差分絶対値の総和が計算されている。表示装置２００〜４００の制御部１０１は、計算した各候補フォーマットの差分絶対値の総和の情報を、表示装置１００に送信する。それをステップＳ１０７において表示装置１００の制御部１０１が受信する。
【００４５】
図８は、表示装置２００〜４００の制御部１０１が計算した、候補フォーマットごとの差分絶対値の総和を示す。図７に示すように、表示装置２００〜４００には画面の右半分が黒レベルの画像信号が入力されている。そのため、画面全体が黒レベル以上の場合の図６と比較して、水平終了位置の規定値９０２（ＴＢＬ＿ｈＥｎｄ）と入力画像信号の水平終了位置の測定値との差分絶対値９０６（ｈＥｎｄ＿ｄｉｆｆ）が大きい値になっている。
【００４６】
ステップＳ１０８において、表示装置１００の制御部１０１は、マルチプロジェクションシステムを構成する全ての表示装置１００〜４００から差分絶対値の総和の情報を受信したか否かを判断する。ここでは、表示装置１００の制御部１０１は、表示装置２００〜４００から差分絶対値の総和の情報を受信したか否かを判断する。全ての表示装置１００〜４００から差分絶対値の総和の情報を受信していない場合、表示装置１００の制御部１０１は、再びステップＳ１０６へ進み、情報受信待ち状態となる。全ての表示装置１００〜４００から差分絶対値の総和の情報の受信が完了した場合、表示装置１００の制御部１０１は、ステップＳ１０９へ進む。
【００４７】
ステップＳ１０９において、表示装置１００の制御部１０１は、各表示装置１００〜４００から受信した各フォーマットに関連付けられた差分絶対値の総和について比較計算を行う。制御部１０１は比較計算の結果、最小の差分絶対値の総和に対応するフォーマットを、自機の入力画像信号のフォーマットとして決定する。制御部１０１は、決定したフォーマットの情報を内部メモリ１１６から読み出し、通信部１１５により表示装置２００〜４００へ送信する。
【００４８】
表示装置１００は図６の情報を自機の制御部１０１の計算結果から取得し、図８の情報を表示装置２００〜４００から受信し、これらのうちから差分絶対値の総和が最小となるフォーマットを選択する。ここでは、表示装置１００の計算した１２８０ｘ１０２４＿１のフォーマットの差分絶対値の総和が最小であるため、表示装置１００の制御部１０１はこのフォーマットを入力画像信号のフォーマットとして決定する。
【００４９】
制御部１０１は決定したフォーマット情報に基づいて画像信号処理を行う。具体的には当該フォーマットの水平総ドット数を内部メモリ１１６から読み出し、Ａ／Ｄ変換部１１１へ設定する。Ａ／Ｄ変換部１１１は、設定された水平総ドット数に基づくサンプリング周波数でサンプリングを行い、後段へデジタル画像信号を出力する。
【００５０】
表示装置２００〜４００の制御部１０１は、表示装置１００から送信されたフォーマット情報を通信部１１５により受信し、受信したフォーマットを自機の入力画像信号のフォーマットとして決定する。表示装置２００〜４００の制御部１０１は、当該フォーマット情報に含まれる水平総ドット数をＡ／Ｄ変換部１１１へ設定し、Ａ／Ｄ変換部１１１は同様の要領でサンプリング及びデジタル信号出力を行う。
各表示装置１００〜４００のＡ／Ｄ変換部１１１が出力したデジタル画像信号に基づき、液晶駆動部１０５は液晶部１０４を駆動し、デジタル画像信号に基づく画像が形成され
る。光源１０６から発せられた光が液晶部１０４を透過することにより得られた当該画像の光学像は、投影光学系１０７によりスクリーン５００に投影される。
【００５１】
なお、実施形態１では、マルチプロジェクションシステムを構成する全表示装置１００〜４００から差分絶対値の総和の情報を収集して入力画像信号のフォーマットを決定する例を説明した。しかし、表示装置１００の計算した差分絶対値の総和のみに基づき入力画像信号のフォーマットを判定し、その結果を表示装置２００〜４００へ配信するようにしてもよい。この場合、表示装置２００〜４００は、入力画像信号の測定や差分絶対値の総和の計算、表示装置１００への送信を行わず、表示装置１００から送信されるフォーマット情報を受信するだけでもよい。表示装置２００〜４００は表示装置１００から受信したフォーマット情報に基づいて画像信号処理を行う。入力画像信号のフォーマットとして決定したフォーマットの画素数（実施形態１では１２８０ｘ１０２４）が表示装置２００〜４００のパネル画素数と異なる場合、画像処理部１１７が表示装置２００〜４００のパネル解像度に合うよう入力画像信号に対して拡大・縮小処理を行ってもよい。
【００５２】
実施形態１によれば、自機の入力画像信号のフォーマットと候補フォーマットの類似度と他機の入力画像信号のフォーマットと候補フォーマットとの類似度のうち最も類似度の高いフォーマットを抽出し、全ての表示装置１００〜４００でそのフォーマット情報を共有する。従って、マルチプロジェクションシステムを構成する表示装置１００〜４００ごとに表示画像が異なる場合でも、適切なフォーマット情報に基づきサンプリングを行うことができ、統合画像の表示品質の低下を抑制することができる。
【００５３】
［実施形態２］
次に、図９、図１０（ａ）及び図１０（ｂ）を参照して実施形態２について説明する。ここでは実施形態１との差異を中心に説明する。実施形態１では、入力信号のＤＥ期間を用いて候補フォーマットの類似度を判定した。実施形態２では、候補フォーマットごとのサンプリング周波数に基づいてＡ／Ｄ変換する際のサンプリング位相を変化させた場合の、隣接画素間の画素値の差分（以下、隣接画素差分値）の変化に基づき判定を行う。
例えば白から黒のように信号レベルの変化が隣り合った画素で反転する箇所について、適切なサンプリング周波数に基づいてサンプリングを行った場合、隣接画素差分値は最大となる。隣り合った画素で信号レベルが大きく変化する箇所がフレーム内に多くある場合、フレーム全体での隣接画素差分値の総和が大きくなる。
【００５４】
しかし、適切でないサンプリング周波数でサンプリングを行った場合、信号レベルの変化が隣り合った画素で大きく変化する箇所について、フレーム内で、適切な位相でサンプリングされる箇所と適切でない位相でサンプリングされる箇所が現れる。位相が適切でない場合、白から黒のように信号レベルが反転しているにも関わらず、隣接画素差分値は位相のずれにより最大とならない。そのため、隣り合った画素で信号レベルが大きく変化する箇所がフレーム内に多くある場合、フレーム全体での隣接画素差分値の総和をとると、適切なサンプリング周波数でサンプリングした場合と比較して、小さい値になる。
実施形態２では、この原理を利用し、候補フォーマットとして抽出したフォーマットごとに、サンプリング周波数の適切さを判別し、その結果に基づいて入力画像信号のフォーマットを決定する。
【００５５】
次に、図９のフローチャートに基づいて説明する。ステップＳ２０１及びステップＳ２０２は実施形態１のステップＳ１０１及びステップＳ１０２と同様であるため説明を省略する。
ステップＳ２０３〜ステップＳ２０６において、制御部１０１は、ステップＳ２０２で抽出した各候補フォーマットについて、そのフォーマットのサンプリング周波数で、サンプリング位相を変化させながら、入力画像信号をサンプリングする。そして、制御部１０
１は、各位相について隣接画素差分値の総和を計算する。この方法の詳細については、公知の方法（例えば特開２００４−４３７６号公報において開示されている方法）を用いることができる。
【００５６】
ステップＳ２０３において、制御部１０１は、フォーマットテーブル２００における候補フォーマットのサンプリング周波数をＡ／Ｄ変換部１１１に設定し、入力画像信号をサンプリングする。
ステップＳ２０４において、制御部１０１は、サンプリング位相を振り、各サンプリング位相について、画像処理部１１７は、Ａ／Ｄ変換部１１１のサンプリング結果に基づき隣接画素差分値を累算し、総和を求める。
ステップＳ２０５において、制御部１０１は、サンプリング位相ごとに画像処理部１１７が求めた隣接画素差分値の総和を読み出し、比較計算により最大値と最小値を求め、さらに最大値と最小値の比を計算し、それぞれをＲＡＭ１３４に保持する。
【００５７】
図１０（ａ）は表示装置１００に入力された画像信号について、各候補フォーマットのサンプリング周波数でサンプリングを行った結果に基づき画像処理部１１７が求めた隣接画素差分値の総和の最大値、最小値、及びその比を示す。図１０（ａ）において、隣接画素差分値の総和の最大値１００１（ｄｉｆｆ＿ｔｏｔａｌ＿ｍａｘ）、隣接画素差分値の総和の最小値（ｄｉｆｆ＿ｔｏｔａｌ＿ｍｉｎ）、及び、隣接画素差分値の総和の最大値と最小値の比１００３（ｒａｔｉｏ）を示す。
【００５８】
ステップＳ２０６〜ステップＳ２０８において、表示装置１００の制御部１０１は、マルチプロジェクションシステムを構成する他の表示装置２００〜４００から隣接画素差分値の総和の最大値、最小値、その比の情報を受信する。ここでは、表示装置２００〜４００には、表示装置１００とは異なる画像信号が入力されているものとする。図１０（ｂ）は、表示装置２００〜４００に入力された画像信号について同様に計算された隣接画素差分値の総和の最大値、最小値、及びその比を示す。
【００５９】
ステップＳ２０９において、表示装置１００の制御部１０１は、自機で計算した各候補フォーマットの隣接画素差分値の総和の最大値と最小値の比と、表示装置２００〜４００から受信した比とに基づき、比が最大のフォーマットを抽出する。ここでは、自機で計算した候補フォーマット１２８０ｘ１０２４＿１の隣接画素差分値の総和の最大値と最小値の比１００３が８．００で最大である。よって、表示装置１００の制御部１０１は、１２８０ｘ１０２４＿１を入力画像信号のフォーマットとして決定する。
【００６０】
制御部１０１は決定したフォーマット情報に基づいて画像信号処理を行う。具体的には当該フォーマットの水平総ドット数を内部メモリ１１６から読み出し、Ａ／Ｄ変換部１１１へ設定する。Ａ／Ｄ変換部１１１は、設定された水平総ドット数に基づくサンプリング周波数でサンプリングを行い、後段へデジタル画像信号を出力する。
表示装置２００〜４００の制御部１０１は、表示装置１００から送信されたフォーマット情報を通信部１１５により受信し、受信したフォーマットを自機の入力画像信号のフォーマットとして決定する。表示装置２００〜４００の制御部１０１は、当該フォーマット情報に含まれる水平総ドット数をＡ／Ｄ変換部１１１へ設定し、Ａ／Ｄ変換部１１１は同様の要領でサンプリング及びデジタル信号出力を行う。
【００６１】
各表示装置１００〜４００のＡ／Ｄ変換部１１１が出力したデジタル画像信号に基づき、液晶駆動部１０５は液晶部１０４を駆動し、デジタル画像信号に基づく画像が形成される。光源１０６から発せられた光が液晶部１０４を透過することにより得られた当該画像の光学像は、投影光学系１０７によりスクリーン５００に投影される。
【００６２】
［実施形態３］
実施形態１及び２で説明した様々な機能、処理及び方法は、パーソナルコンピュータ、マイクロコンピュータ、ＣＰＵ（Ｃｅｎｔｒａｌ  Ｐｒｏｃｅｓｓｉｎｇ  Ｕｎｉｔ）などがプログラムを用いて実現することもできる。以下、実施形態３では、パーソナルコンピュータ、マイクロコンピュータ、ＣＰＵなどを「コンピュータＸ」と呼ぶ。また、実施形態３では、コンピュータＸを制御するためのプログラムであって、実施形態１及び２で説明した様々な機能、処理及び方法を実現するためのプログラムを「プログラムＹ」と呼ぶ。
実施形態１及び２で説明した様々な機能、処理及び方法は、コンピュータＸがプログラムＹを実行することによって実現される。この場合において、プログラムＹは、コンピュータ読み取り可能な記憶媒体を介してコンピュータＸに供給される。実施形態３におけるコンピュータ読み取り可能な記憶媒体は、ハードディスク装置、磁気記憶装置、光記憶装置、光磁気記憶装置、メモリカード、揮発性メモリ、不揮発性メモリなどの少なくとも一つを含む。実施形態３におけるコンピュータ読み取り可能な記憶媒体は、ｎｏｎ−ｔｒａｎｓｉｔｏｒｙ（非一時的）な記憶媒体である。
【符号の説明】
【００６３】
１００：表示装置（マスタープロジェクタ）、１１６：内部メモリ、１１１：Ａ／Ｄ変換部、１０１：制御部、１１７：画像処理部、１１５：通信部
【図１】
2016191897.tif 000003
【図２】
2016191897.tif 000004
【図３】
2016191897.tif 000005
【図４】
2016191897.tif 000006
【図５】
2016191897.tif 000007
【図６】
2016191897.tif 000008
【図７】
2016191897.tif 000009
【図８】
2016191897.tif 000010
【図９】
2016191897.tif 000011
【図１０】
2016191897.tif 000012